【事件の表示】
　平成１１年特許願第　５８４０９号「スキャナ及びスキャナ原稿読み取り装置及びスキャナドライバプログラムを格納した記録媒体」拒絶査定不服審判事件〔平成１２年　９月２２日出願公開、特開２０００−２６１６０３〕について、次のとおり審決する。
【結　論】
　本件審判の請求は、成り立たない。
【理　由】
第１　手続きの経緯
　本願は、平成１１年３月５日に出願されたものであって、平成１７年１２月２１日付けで拒絶査定がなされ、これに対して平成１８年２月９日に拒絶査定不服審判が請求されると共に平成１８年３月１３日に手続補正がなされたものである。
　
　なお、平成１７年７月２１日付けの拒絶理由通知に対してなされた平成１７年９月５日付けの手続補正は、独立して特許を受けることができないという理由で補正却下の決定がなされ、かつこの決定は確定している。
　
第２　平成１８年３月１３日の手続補正についての補正却下の決定
［補正却下の決定の結論］
　平成１８年３月１３日付けの手続補正を却下する。
［理由］
１．補正後の本願発明
　平成１８年３月１３日付け手続補正書により、特許請求の範囲の請求項１は、
　「【請求項１】　ローラ表面の色を媒体と判別可能な色とした媒体搬送用ローラを有する媒体読取装置を制御する制御装置において、
　前記媒体搬送用ローラ上の媒体の最初の１ラインを前記媒体読取装置で走査し、前記媒体搬送用ローラ色に応じて、有効データ部分を決定する第１の決定手段と、
　その後の読み取りにおいて前記の決定された有効データ部分のデータを有効とする制御手段と、
　前記媒体搬送用ローラ上の媒体を前記媒体読取装置で読み取り、全ての読み取りデータがローラ表面色となるとき、前記媒体の最終ラインを決定する第２の決定手段と、
　前記第１の決定手段と第２の決定手段に応じて媒体のサイズを決定するサイズ決定手段とを有し、
　前記第１の決定手段は、最初の１ラインの読み取り時に有効データの開始位置と有効データ長を決定し、
　前記制御手段は、次のラインから前記第２の決定手段により決定された最終ラインまでの読み取りにおいて、前記第１の決定手段により決定された有効データ開始位置から前記第１の決定手段により決定された有効データ長分だけ読み取ることを特徴とする制御装置。」
と補正された。
　
２．補正の適否について
　平成１８年３月１３日付けの手続補正は、補正前の請求項１に記載された発明を特定するために必要な事項を明確にするための補正であり、特許法第１７条の２第４項第２号の特許請求の範囲の減縮を目的とするものに該当する。
　そこで、平成１８年３月１３日付けの手続補正後の請求項１に記載された発明（以下、「本願補正発明」という）が特許出願の際独立して特許を受けることができるものであるか、すなわち平成１８年改正前特許法第１７条の２第５項において準用する同法第１２６条第５項の規定に適合するかどうかについて以下に検討する。
　
３．引用刊行物
（１）原審が拒絶の理由に引用した特開平１０−２４３１７６号公報（平成１０年９月１１日出願公開。以下、「引用例１」という）には、図面とともに次の各記載がある。
　
（ア）「【特許請求の範囲】
【請求項１】  原稿を走査し、画像信号に変換して出力するスキヤナにおいて、
原稿を走査して得られた
画像信号の画像領域と非画像領域の画像信号レベルの差に基づいて、画像領域を識別する画像領域識別手段
前記画像領域識別手段により識別された
画像領域のみの画像信号を有効画像信号として出力する画像領域編集手段
（中略）
【０００１】
【発明の属する技術分野】この発明はスキヤナ、特にシ−ト状の原稿を走査して画像信号に変換するスキヤナに関する。
（中略）
【０００４】
【発明が解決しようとする課題】このように原稿ホルダを使用して写真原稿など通常の用紙サイズよりも小さい原稿をスキヤナで読み取らせると、写真部分の画像デ−タのほか、その周辺部分の領域も画像デ−タとして読み取られ、必要のないデ−タが付加されてしまう。この結果、
必要のない画像デ−タの伝送処理のために処理時間が延びたり、メモリ容量を占有されるなどの不都合がある。この発明は、上記課題を解決することを目的とするものである
【０００５】
【課題を解決するための手段】この発明は上記課題を解決するもので、請求項１の発明では、原稿を走査し、画像信号に変換して出力するスキヤナにおいて、原稿を走査して得られた
画像信号の画像領域と非画像領域の画像信号レベルの差に基づいて、画像領域を識別する画像領域識別手段と
画像領域識別手段により識別された画像領域のみの画像信号を有効画像信号として出力する画像領域編集手段とを備えた
（中略）
【０００７】
【発明の実施の形態】この発明のスキヤナにおける画像領域識別手段による画像領域の識別を図２及び図５を参照して説明する。即ち、所定サイズ以下の写真原稿は、所定サイズ（例えばＡ４サイズ）の透明シ−トからなる原稿ホルダ（図５参照）に収納された状態でスキヤナにより読み取られる。イメ−ジスキヤナ１１のＣＣＤセンサ１０５は、原稿を読取り、電気信号に変換するものであるが、
ＣＣＤセンサ１０５に対向する位置に表面が黒色の搬送ロ−ラ１０６が配置されており
【０００８】原稿ホルダ２００がＣＣＤセンサ１０５の前を通過するとき、
原稿ホルダ２００の周辺部分は透明であるため、ＣＣＤセンサ１０５は搬送ロ−ラ１０６の黒色を検出して得られた黒色レベルの検出信号を参照信号として出力する
【０００９】原稿ホルダ２００上の写真原稿領域２０３がＣＣＤセンサ１０５により検出されると、検出信号は参照信号とは信号レベルが異なる検出信号に変化する。
参照信号と検出信号との信号レベルを比較することにより写真原稿領域２０３を識別することができる
　なお、下線は審決において附された。以下、同様。
　
（イ）「【００２７】次に、原稿ホルダか否かの識別、及び写真原稿領域の識別について説明する。イメ−ジスキヤナ１１のＣＣＤセンサ１０５は、原稿を読取り電気信号に変換するものであるが、
ＣＣＤセンサ１０５に対向する位置に表面が黒色の搬送ロ−ラ１０６が配置されており
【００２８】原稿ホルダ２００がＣＣＤセンサ１０５の前を通過するときは、原稿ホルダ２００の周辺部分は透明であるため
ＣＣＤセンサ１０５は搬送ロ−ラ１０６の黒色を検出して得られた黒色レベルの検出信号を出力する。黒色レベルの検出信号は以降、参照信号として使用される
写真領域がＣＣＤセンサ１０５により検出されると、検出信号は参照信号（黒色レベルの検出信号）から信号レベルが異なる検出信号に変化する
参照信号と検出信号の信号レベルとを比較することにより写真原稿領域２０３を識別することができる
【００２９】原稿領域の識別には、原稿ホルダの全面を読み取つた後、参照信号と、この参照信号と検出信号とを比較し、信号レベルが異なる検出信号が出力された領域を写真原稿領域を識別する方法と、ＣＣＤセンサで検出した１ライン毎に検出信号を参照信号と比較して写真原稿領域を識別する方法があるが、いずれの場合も参照信号と同じ黒色レベルの検出信号が得られた領域は写真原稿領域ではないと判断し、画像デ−タから削除する。
【００３０】図８は原稿ホルダ２００上の写真原稿領域２０３の識別を説明する図で、ＣＣＤセンサで検出した１ライン毎の検出信号をデジタル変換し、画素単位のデジタル信号を得る。画素単位の信号から写真原稿領域２０３を識別するのでは信号処理する画素数が著しく多数となり処理時間が長くなるので、画素を間引いて注目画素Ｇについて信号処理し、原稿領域２０３を識別する。注目画素Ｇとしては、図８に示すように主走査方向（Ｘ方向）に配列された画素から所定個数飛びにｍ個の画素、副走査方向（Ｙ方向）に配列された画素から所定個数飛びにｎ個の画素を選定する。
【００３１】参照信号としては、原稿ホルダ端部のポケツトの無い部分の注目画素Ｇを含む１ラインの検出信号（黒色レベルの検出信号）をデジタル変換し、その注目画素群の検出信号の平均値を求めて参照信号とし、各注目画素毎の検出信号のばらつきを補償するようにするとよい。
【００３２】図８においては、副走査方向では注目画素ラインｙ1 までは注目画素の検出信号は全て黒色レベルで参照信号と同一レベルであるが、次の注目画素ラインでは注目画素の検出信号は参照信号（黒色レベル）と異なる信号を出力する画素が含まれるので、
ラインｙ1 を副走査方向の写真原稿領域２０３の開始位置と識別する
ラインｙ2 を副走査方向の写真原稿領域２０３の終了位置と識別する
【００３３】主走査方向では位置ｘ1 までは注目画素の検出信号は全て黒色レベルであるが、次の注目画素の検出信号は黒色レベルと異なる信号を出力するので、
位置ｘ1を主走査方向の写真原稿領域２０３の開始位置と識別する
位置ｘ2 を主走査方向の写真原稿領域２０３の終了位置と識別する
【００３４】図９は原稿領域の識別を行う画像処理編集部１５７の処理回路を説明するブロツク図である。イメ−ジスキヤナのＣＣＤセンサ１０５により読み取られた検出信号は、ＭＰＵ１５１を経て画像処理部３０１に入力され、ここで前記した注目画素Ｇが選択される。領域識別部３０２では、先に図８により説明したように、注目画素の検出信号から参照信号（黒色レベルの検出信号の平均値）を求め、検出信号を参照信号と比較して写真原稿領域の識別信号を出力する。
【００３５】
画像編集部３０３は写真原稿領域の識別信号を受け、ＣＣＤセンサ１０５により読み取られた検出信号から写真原稿領域のみの信号を有効画像デ−タとして出力する
【００３６】以上説明した実施例では、読み取る原稿に原稿ホルダが含まれているときは、走査パネルのキ−１４４を押して原稿ホルダモ−ドを設定するものとして説明した。しかし、原稿ホルダモ−ドとして、原稿が原稿ホルダのみからなる第１原稿ホルダモ−ドと、原稿に原稿ホルダが含まれている第２原稿ホルダモ−ドとを設け、キ−１４４により選択するように構成してもよい。この場合、第１原稿ホルダモ−ドが選択された場合には、原稿ホルダを読み取つて写真原稿領域を判別し相手側のファクシミリ装置に送信する処理を、全ての原稿ホルダの処理が終了するまで繰り返す。また、第２原稿ホルダモ−ドの選択が選択された場合には、先に説明した原稿ホルダモ−ドの処理を行う。
【００３７】以上説明した実施例では、原稿ホルダの保持される原稿として写真を挙げて説明したが、原稿ホルダに保持される
原稿としては、写真のほか、名刺、カ−ド、その他の通常サイズとは異なるサイズの原稿であつてもよい
【００３８】
【発明の効果】以上説明した通り、この発明によれば、原稿ホルダを使用して写真原稿など通常の用紙サイズよりも小さい原稿をスキヤナで読み取らせるとき、写真など有効画像領域のみを識別して出力することができるから、
写真などの有効画像領域以外の必要のない画像デ−タの伝送処理のために処理時間が延びたり、メモリ容量を占有されるなどの不都合が無くなり、効率的に画像を読み取り、出力することができる
　
　以上の記載からみて、引用例１には、次のような発明が記載されているものと認められる。
「搬送ローラ１０６の表面の色を媒体と識別可能な黒色とした搬送ローラ１０６を有するイメージスキャナ１１を制御する制御装置において、
　黒色レベルの検出信号が相続き、検出信号のレベルが黒色レベルから初めて黒色レベルとは相異なる検出信号に転じる画素位置x1を主走査方向の画像領域の開始位置と識別し、次に画素の検出信号が再び連続する黒色レベルとなる直前の画素位置x2を主走査方向の画像領域の終了位置と識別し、前記画素位置x1〜x2の範囲を主走査方向における画像の有効データ領域と識別する画像領域識別手段と、
　注目画素ライン上のすべての画素の検出信号が黒色レベルであるラインから初めて注目画素ライン上の少なくとも１つの画素の検出信号が黒色レベルとは相異なる検出信号が出力されるラインy1を副走査方向の画像領域の開始位置と識別し、次に注目画素ライン上のすべての画素の検出信号が再び黒色レベルに変化するラインy2を副走査方向の画像領域の終了位置と識別し、前記ライン位置y1〜y2の範囲を副走査方向における画像の有効データ領域と識別する画像領域識別手段と、
　前記主走査方向の画像領域の開始位置x1と主走査方向の画像領域の終了位置x2、および、前記副走査方向の画像領域の開始位置y1と副走査方向の画像領域の終了位置y2とで定まる矩形画像領域(x1〜x2)×(y1〜y2)を有効画像領域として識別し、かつこの範囲のみを出力することにより写真原稿、名刺原稿、そしてカード原稿等の媒体のサイズを決定する画像領域編集手段と、
　を有し、
　前記主走査方向の有効データ部分決定手段により決定された有効データ開始位置x1から有効データ長x1〜x2だけ読み取るメージスキャナ１１を制御する制御装置。」
　
４．対比
　本願補正発明と引用例１に記載された発明を対比すると、
（１）引用例１に記載された発明の「イメージスキャナ１１」は、本願補正発明の「媒体読取装置」に相当する。
（２）引用例１に記載された発明の「ローラ表面の色を媒体と判別可能な黒色とした搬送ローラ１０６」は、本願補正発明の「媒体搬送用ローラ」に相当する。
（３）引用例１に記載された発明の画像領域識別手段は、黒色レベルの検出信号が相続き、検出信号のレベルが黒色レベルから初めて黒色レベルとは相異なる検出信号に転じる画素位置x1を主走査方向の画像領域の開始位置と識別し、次に画素の検出信号が再び連続する黒色レベルとなる直前の画素位置x2を主走査方向の画像領域の終了位置と識別し、前記画素位置x1〜x2の範囲を主走査方向における画像の有効データ領域と識別するものであるから、本願補正発明の、「媒体搬送用ローラ上の媒体のラインを前記媒体読取装置で走査し、前記媒体搬送用ローラ色に応じて、有効データ部分を決定する第１の決定手段」の存在が認められる。
（４）引用例１に記載された発明の画像領域識別手段は、注目画素ライン上のすべての画素の検出信号が黒色レベルであるラインから初めて注目画素ライン上の少なくとも１つの画素の検出信号が黒色レベルとは相異なる検出信号が出力されるラインy1を副走査方向の画像領域の開始位置と識別し、次に注目画素ライン上のすべての画素の検出信号が再び黒色レベルに変化するラインy2を副走査方向の画像領域の終了位置と識別し、前記ライン位置y1〜y2の範囲を副走査方向における画像の有効データ領域と識別するから、本願補正発明の、「媒体搬送用ローラ上の媒体を前記媒体読取装置で読み取り、全ての読み取りデータがローラ表面色となるとき、前記媒体の最終ラインを決定する第２の決定手段」の存在が認められる。
（５）引用例１に記載された発明の画像領域編集手段は、前記主走査方向の画像領域の開始位置x1と主走査方向の画像領域の終了位置x2、および、前記副走査方向の画像領域の開始位置y1と副走査方向の画像領域の終了位置y2とで定まる矩形画像領域(x1〜x2)×(y1〜y2)を有効画像領域として識別し、かつこの範囲のみを出力することにより写真原稿、名刺原稿、そしてカード原稿等の媒体のサイズを決定するから、本願補正発明の、第１の決定手段と第２の決定手段に応じて媒体のサイズを決定する「サイズ決定手段」の存在が認められる。
　
　したがって、本願補正発明と引用例１に記載された発明とは、
　「ローラ表面の色を媒体と判別可能な色とした媒体搬送用ローラを有する媒体読取装置を制御する制御装置において、
　前記媒体搬送用ローラ上の媒体のラインを前記媒体読取装置で走査し、前記媒体搬送用ローラ色に応じて、有効データ部分を決定する第１の決定手段と、
　前記媒体搬送用ローラ上の媒体を前記媒体読取装置で読み取り、全ての読み取りデータがローラ表面色となるとき、前記媒体の最終ラインを決定する第２の決定手段と、
　前記第１の決定手段と第２の決定手段に応じて媒体のサイズを決定するサイズ決定手段とを有し、
　前記第１の決定手段は、有効データの開始位置と有効データ長を決定し、
　前記第１の決定手段により決定された有効データ開始位置から前記第１の決定手段により決定された有効データ長分だけ読み取る制御装置。」
である点で一致し、以下の点で相違する。
　
【相違点】本願補正発明は、第１の決定手段が、媒体の最初の「１ライン」を前記媒体読取装置で走査し、「最初の１ラインの読み取り時に」有効データの開始位置と有効データ長を決定するものであり、
　制御手段が、「その後の読み取りにおいて前記の決定された有効データ部分のデータを有効と」し、「次のラインから前記第２の決定手段により決定された最終ラインまでの読み取りにおいて」前記第１の決定手段により決定された有効データ開始位置から前記第１の決定手段により決定された有効データ長分だけ読み取るものであるところ、
　引用例１に記載された発明は、主走査方向の有効データの開始位置x1と有効データ長(x1〜x2)を決定するものではあるが、その決定を最初の１ライン読み取り時にのみ行い、以後の第２ラインから最終ラインにおいて、前記決定した有効データの開始位置x1及び有効データ長に基づいて読み取りを行うかは明らかでない点。
　
５．判断
　前記相違点について判断するに、
　(i)媒体すなわち用紙が矩形の場合（殆どの場合がこれに該当する）、最初の第１ラインにて主走査方向の有効データの開始位置及び有効データ長を決定すれば、以後のラインの走査時にその都度有効データの開始位置及び有効データ長を求める必要は全く無く、第１ラインで決定した有効データの開始位置及び有効データ長を用いて以後のラインの画像データを読み取れば良いことは自明な技術常識である。
　(ii)また、原審が拒絶の理由に引用した特開平１０−５６５３７号公報には、原稿読み取り前に原稿読み取り範囲に係る主及び副走査有効長を自動または手動により決定し、以後第１ラインから終了ラインすべてのライン読み取りにおいて、前記決定された主走査範囲及び副走査範囲内の有効原稿データのみを読み取る画像読み取り装置が記載されており、手動又は自動に関わりなく、最初に決定した有効データ開始位置及び有効データ長を用いて以後のすべてのラインの画像データを読み取るという技術思想は当業者には周知である。
　(iii)更に、原審が拒絶の理由に引用した特開平９−２１４６８０号公報には、原稿の先端部分を読み取るだけで原稿の原稿情報が含まれている原稿情報範囲Ｌを設定し、その後この原稿情報範囲Ｌに基づいて原稿全体を読み取ることが記載されており（特に、段落【００２１】〜【００２６】の記載参照）、最初の読み取りで決定した有効データ開始位置及び有効データ長を用いて以後のすべてのラインの画像データを読み取るという技術思想は当業者には周知である。
　以上(i)〜(iii)に示される当業者の技術常識及び周知技術事項を踏まえると、引用例１に記載された発明に、前記周知技術事項を適用して、第１の決定手段が、媒体の最初の「１ライン」を前記媒体読取装置で走査し、「最初の１ラインの読み取り時に」有効データの開始位置と有効データ長を決定するようにし、制御手段が、「その後の読み取りにおいて前記の決定された有効データ部分のデータを有効と」し、「次のラインから前記第２の決定手段により決定された最終ラインまでの読み取りにおいて」前記第１の決定手段により決定された有効データ開始位置から前記第１の決定手段により決定された有効データ長分だけ読み取るように構成することは、当業者が容易に推考できる程度のことといえ、またその本願補正発明の奏する作用効果は、引用例１に記載された発明及び周知技術の奏する作用効果から予測される範囲内のものにすぎず、格別顕著なものということはできない。
　
　以上述べた如く、本願補正発明は、引用例１に記載された発明及び周知技術に基づいて当業者が容易に発明をすることができたものであるから、特許法２９条２項の規定により、特許出願の際独立して特許を受けることができないものである。
　
６．本件補正についてのむすび
　以上のとおり、本件補正は、平成１８年改正前特許法１７条の２第５項において準用する同法１２６条５項の規定に違反するものであり、同法１５９条１項において読み替えて準用する同法５３条１項の規定により却下されるべきものである。
　
第３　本願発明について
１．本願発明
　平成１８年３月１３日付けの手続補正は、上記のとおり却下されるから、本願の特許請求の範囲の請求項１に係る発明（以下、「本願発明」という）は、平成１７年２月１４日付けの手続補正書により補正された特許請求の範囲の請求項１に記載された次のとおりのものである。
　「【請求項１】　ローラ表面の色を媒体と判別可能な色とした媒体搬送用ローラを有する媒体読取装置を制御する制御装置において、
　前記媒体搬送用ローラ上の媒体を前記媒体読取装置に、少なくとも１ライン読み取らせ、前記媒体搬送用ローラ色と媒体色の識別により、有効データ部分の位置を決定する決定手段と、
　その後の読み取りにおいて前記決定された有効データ部分の位置のデータを有効とする制御手段とを有することを特徴とする制御装置。」
　
２．引用刊行物
　原査定の拒絶の理由に引用された引用例１及びその記載事項は、前記「第２の３．」に記載したとおりである。
　
３．対比・判断
　本願発明は、前記「第２」の項で検討した本願補正発明から、発明を限定する事項である
(a)「最初の１ライン」
(b)「前記媒体搬送用ローラ上の媒体を前記媒体読取装置で読み取り、全ての読み取りデータがローラ表面色となるとき、前記媒体の最終ラインを決定する第２の決定手段」
(c)「前記第１の決定手段と第２の決定手段に応じて媒体のサイズを決定するサイズ決定手段」
(d)「前記第１の決定手段は、最初の１ラインの読み取り時に有効データの開始位置と有効データ長を決定し、前記制御手段は、次のラインから前記第２の決定手段により決定された最終ラインまでの読み取りにおいて、前記第１の決定手段により決定された有効データ開始位置から前記第１の決定手段により決定された有効データ長分だけ読み取る」
を省いたものである。
　そうすると、本願発明を特定する事項をすべて含む本願補正発明が、前記「第２の４．」、「第２の５．」に記載したとおり、引用例１に記載された発明及び周知技術に基づいて当業者が容易に発明をすることができたものであるから、本願発明も、同様の理由により、引用例１に記載された発明及び周知技術に基づいて当業者が容易に発明をすることができたものである。
　
４．むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は特許を受けることができない。
　よって、結論のとおり審決する。